(57)【要約】【課題】靴の内側を洗浄できる靴洗浄用アタッチメントと、この靴洗浄用アタッチメントを含み、靴の内外を効果的に洗浄できる靴洗浄装置とを提供する。【解決手段】靴洗浄用アタッチメント１は、靴Ｓの履き口ＳＨから靴Ｓの内部ＳＮに挿入される本体部２と、本体部２の外面部に設けられたブラシ部３と、履き口ＳＨ側とは反対側から靴底ＳＺに対向する対向部４とを含む。本体部２は、靴Ｓの内部ＳＮにおいて爪先ＳＴと踵ＳＫとの間で移動可能である。靴洗浄装置１０は、靴洗浄用アタッチメント１が装着された靴Ｓが収納される収納室１３Ａと、収納室１３Ａにおいて靴Ｓが載せられた状態で駆動回転される回転盤１４と、回転盤１４の上面部１４Ａに設けられた回転ブラシ部２１と、収納室１３Ａの内壁部１３Ｃに設けられた接触部１９とを含む。接触部１９は、回転盤１４の回転方向である周方向Ｑにおいて回転盤１４上の靴Ｓに接触する。【選択図】図４
2018051038.tif 000002
【特許請求の範囲】
【請求項１】
靴の洗浄のために靴に装着される靴洗浄用アタッチメントであって、
靴の履き口から靴の内部に挿入され、靴の内部において爪先と踵との間で移動可能な本体部と、
前記本体部の外面部に設けられたブラシ部と、
前記本体部に設けられ、前記本体部が靴の内部に挿入された状態において靴の履き口からはみ出して履き口側とは反対側から靴底に対向する対向部とを含む、靴洗浄用アタッチメント。
【請求項２】
請求項１に記載の靴洗浄用アタッチメントが装着された靴を収納する収納室と、
前記収納室に配置され、靴が載せられた状態で駆動回転される回転盤と、
前記回転盤の上面部に設けられた回転ブラシ部と、
前記収納室の内壁部に設けられ、前記回転盤の回転方向において前記回転盤上の靴に接触する接触部とを含む、靴洗浄装置。
【請求項３】
前記回転ブラシ部は、前記回転盤の上面部から上側に延びる複数のブラシ毛を含み、
前記ブラシ毛の長さは、前記回転盤の回転方向または径方向における位置に応じて異なる、請求項２に記載の靴洗浄装置。
【発明の詳細な説明】
【技術分野】
【０００１】
この発明は、靴洗浄用アタッチメントおよび靴洗浄装置に関する。
【背景技術】
【０００２】
下記特許文献１に記載のズック靴洗濯機は、容器本体を含む。容器本体内には底フタが設けられる。底フタの中心には、上側へ突出した円筒が設けられる。底フタの上面における円筒の周囲には、ブラシが取り付けられる。円筒には、タワシが引っ掛けられる。容器本体には、円板が下から固定される。ズック靴を洗う場合には、容器本体が従来の洗濯機の水槽内に入れられ、円板が、吸盤によって、この洗濯機の水槽内の羽根に取り付けられる。容器本体にズック靴と水と洗剤とが入った状態で羽根が回転すると、底フタおよび円筒が回転する。これにより、ズック靴は、底フタの上面のブラシによって擦り洗いされ、円筒からぶら下がったタワシによってかき回すように洗われる。
【先行技術文献】
【特許文献】
【０００３】
【特許文献１】実開平６−５５５８８号公報
【発明の概要】
【発明が解決しようとする課題】
【０００４】
特許文献１に記載のズック靴洗濯機では、ブラシやタワシがズック靴の内側まで届かないので、ズック靴の内側まで洗浄することは困難である。また、ズック靴を底フタのブラシによって擦り洗いするためには、容器本体内のズック靴が底フタと一緒に回転しないようにする必要があるが、このズック靴洗濯機では、ズック靴が底フタと一緒に回転する虞がある。さらに、容器本体内においてズック靴の姿勢が変わらないと、ブラシがズック靴における一部の同じ部分しか擦らない虞がある。これでは、ズック靴の外面部の全域を満遍なく洗浄することが困難である。
【０００５】
この発明は、かかる背景のもとでなされたもので、靴の内側を洗浄できる靴洗浄用アタッチメントと、この靴洗浄用アタッチメントを含み、靴の内外を効果的に洗浄できる靴洗浄装置とを提供することを目的とする。
【課題を解決するための手段】
【０００６】
本発明は、靴の洗浄のために靴に装着される靴洗浄用アタッチメントであって、靴の履き口から靴の内部に挿入され、靴の内部において爪先と踵との間で移動可能な本体部と、前記本体部の外面部に設けられたブラシ部と、前記本体部に設けられ、前記本体部が靴の内部に挿入された状態において靴の履き口からはみ出して履き口側とは反対側から靴底に対向する対向部とを含む、靴洗浄用アタッチメントである。
【０００７】
また、本発明は、前記靴洗浄用アタッチメントが装着された靴を収納する収納室と、前記収納室に配置され、靴が載せられた状態で駆動回転される回転盤と、前記回転盤の上面部に設けられた回転ブラシ部と、前記収納室の内壁部に設けられ、前記回転盤の回転方向において前記回転盤上の靴に接触する接触部とを含む、靴洗浄装置である。
【０００８】
また、本発明は、前記回転ブラシ部は、前記回転盤の上面部から上側に延びる複数のブラシ毛を含み、前記ブラシ毛の長さは、前記回転盤の回転方向または径方向における位置に応じて異なることを特徴とする。
【発明の効果】
【０００９】
本発明によれば、靴洗浄用アタッチメントが靴に装着されると、本体部が靴の履き口から靴の内部に挿入される。本体部が靴の内部において爪先と踵との間で移動することにより、靴の内面部が、本体部の外面部に設けられたブラシ部によって擦り洗いされる。これにより、靴の内側を効果的に洗浄できる。
また、本体部が靴の内部に挿入された状態における靴洗浄用アタッチメントでは、本体部に設けられた対向部が靴の履き口からはみ出して履き口側とは反対側から靴底に対向するので、靴の内側の洗浄中に本体部が履き口から靴の外に抜け出ることを防止できる。これにより、靴洗浄用アタッチメントを用いて靴の内側を確実に洗浄できる。
【００１０】
また、本発明によれば、靴洗浄装置では、靴洗浄用アタッチメントが装着された靴は、収納室に収納された状態において、回転盤上に載せられる。回転盤が駆動回転されると、収納室の内壁部における接触部が、回転盤の回転方向において回転盤上の靴に接触するので、回転盤上の靴が回転盤と一緒に回転することが防止される。これにより、回転盤上の靴の外面部が、回転盤の上面部に設けられた回転ブラシ部によって擦り洗いされる。このとき、この靴の内面部は、靴洗浄用アタッチメントのブラシ部によって擦り洗いされるので、靴洗浄装置では、靴の内外を洗浄できる。
【００１１】
また、本発明によれば、回転ブラシ部を構成するブラシ毛の長さが、回転盤の回転方向または径方向における位置に応じて異なるので、回転盤上の靴は、回転盤の回転に伴ってブラシ毛によってひっくり返されて姿勢を変える。これにより、靴の外面部において色々な部分が回転ブラシ部に接触することによって、靴の外面部における広い範囲が満遍なく擦り洗いされるので、靴の外側を効果的に洗浄できる。
【図面の簡単な説明】
【００１２】
【図１】図１は、この発明の一実施形態に係る靴洗浄用アタッチメントの左側面図である。
【図２】図２は、靴洗浄用アタッチメントの平面図である。
【図３】図３は、靴洗浄用アタッチメントの正面図である。
【図４】図４は、この発明の一実施形態に係る靴洗浄装置の模式的な縦断面図である。
【図５】図５は、靴洗浄装置に設けられた回転盤の斜視図である。
【図６】図６は、変形例に係る回転盤の平面図である。
【図７】図７は、変形例に係る回転盤を備える靴洗浄装置の模式的な縦断面図である。
【発明を実施するための形態】
【００１３】
以下には、図面を参照して、この発明の実施形態について具体的に説明する。図１は、この発明の一実施形態に係る靴洗浄用アタッチメント１の左側面図である。靴洗浄用アタッチメント１が用いられる靴Ｓの種類は問わないが、以下では、靴Ｓの一例として上靴を想定する。また、以下では、靴洗浄用アタッチメント１を「アタッチメント１」と略称し、靴底ＳＺを下に向けた靴Ｓに装着されたときのアタッチメント１の姿勢を基準として、アタッチメント１について説明する。図１における上下方向をアタッチメント１の上下方向Ｚといい、図１における左右方向をアタッチメント１の前後方向Ｙといい、図１に直交する方向をアタッチメント１の左右方向Ｘという。上下方向Ｚは、図１の上側に相当する上側Ｚ１と、図１の下側に相当する下側Ｚ２とを含む。前後方向Ｙは、図１の左側に相当する前側Ｙ１と、図１の右側に相当する後側Ｙ２とを含む。左右方向Ｘは、図１の紙面手前側に相当する左側Ｘ１と、図１の紙面奥側に相当する右側Ｘ２とを含む。アタッチメント１は、本体部２と、ブラシ部３と、対向部４とを含む。
【００１４】
本体部２は、例えば樹脂製であり、前後方向Ｙに長手で上下方向Ｚに扁平なボックス状に形成される。アタッチメント１の平面図である図２も参照して、本体部２の外面部は、上面部２Ａと、下面部２Ｂと、前面部２Ｃと、後面部２Ｄと、左面部２Ｅと、右面部２Ｆとを含む。下面部２Ｂは、上面部２Ａの真下に位置し、平面視で上面部２Ａと略一致した形状を有する。前面部２Ｃは、上下方向Ｚに延び、上面部２Ａおよび下面部２Ｂの前端縁間に架設される。後面部２Ｄは、上下方向Ｚに延び、上面部２Ａおよび下面部２Ｂの後端縁間に架設される。左面部２Ｅは、上下方向Ｚに延び、上面部２Ａおよび下面部２Ｂの左端縁間に架設される。右面部２Ｆは、上下方向Ｚに延び、上面部２Ａおよび下面部２Ｂの右端縁間に架設される。上面部２Ａ、下面部２Ｂ、前面部２Ｃ、後面部２Ｄ、左面部２Ｅおよび右面部２Ｆのうち、隣り合うもの同士の境界をなす角部分は、丸まって成形される。
【００１５】
上面部２Ａは、その略後半分を占める後側領域２Ｇでは、前後方向Ｙに沿って略平坦だが、後側領域２Ｇよりも前側Ｙ１の前側領域２Ｈでは、前側Ｙ１へ向かうにつれて下側Ｚ２へ傾斜する。一方、下面部２Ｂのほぼ全域は、前後方向Ｙに沿って略平坦である。そのため、本体部２の前端部２Ｉおよびその周辺部分は、前側Ｙ１へ向けて上下方向Ｚに細くなるように形成される（図１参照）。上面部２Ａは、後端部では後側Ｙ２へ向けて左右方向Ｘに狭くなり、後端部から前側Ｙ１へ向けて左右方向Ｘに緩やかに狭くなり、前端部では前側Ｙ１へ向けて左右方向Ｘに急激に狭くなる。そのため、本体部２は、その後端部２Ｊでは後側Ｙ２へ向けて左右方向Ｘに細くなり、後端部２Ｊから前側Ｙ１へ向けて左右方向Ｘに細くなり、前端部２Ｉでは前側Ｙ１へ向けて左右方向Ｘにさらに細くなる。
【００１６】
以上より、本体部２は、前側Ｙ１に向かうにつれて左右方向Ｘおよび上下方向Ｚの両方において狭くなる。このような本体部２の形状に応じて、前面部２Ｃでは、左右方向Ｘにおける中央部が左右方向Ｘに沿って延び、左右方向Ｘにおいて当該中央部の両側に位置する両側部分は、後側Ｙ２へ傾斜する。後面部２Ｄでは、左右方向Ｘにおける中央部が左右方向Ｘに沿って延び、左右方向Ｘにおいて当該中央部の両側に位置する両側部分は、前側Ｙ１へ傾斜する。左面部２Ｅおよび右面部２Ｆは、前側Ｙ１に向かうにつれて互いに接近するように前後方向Ｙに対して傾斜する。
【００１７】
ブラシ部３は、第１ブラシ部３Ａと、第２ブラシ部３Ｂと、第３ブラシ部３Ｃとを含む。アタッチメント１の正面図である図３も参照して、第１ブラシ部３Ａ、第２ブラシ部３Ｂおよび第３ブラシ部３Ｃのそれぞれは、平らな帯状に形成され、本体部２の外面部から外側へ直線状に突出する。第１ブラシ部３Ａ、第２ブラシ部３Ｂおよび第３ブラシ部３Ｃのそれぞれは、それぞれの突出方向に沿って直線的に延びる多数のブラシ毛Ｂによって構成される。
【００１８】
第１ブラシ部３Ａは、左面部２Ｅおよび右面部２Ｆのそれぞれにおいて下寄りの領域に例えば１つずつ設けられ、下面部２Ｂに複数設けられる（図１参照）。左面部２Ｅおよび右面部２Ｆのそれぞれにおける第１ブラシ部３Ａは、前後方向Ｙに長手であって、下側Ｚ２へ傾斜しながら左右方向Ｘの外側へ突出する。下面部２Ｂにおける第１ブラシ部３Ａは、前後方向Ｙに長手であって、左右方向Ｘに並んで配置される。下面部２Ｂの左端縁に位置する第１ブラシ部３Ａは、左面部２Ｅの第１ブラシ部３Ａの下側Ｚ２に位置し、この第１ブラシ部３Ａと平行、または、この第１ブラシ部３Ａよりも大きな傾斜角度で下側Ｚ２へ傾斜しながら左側Ｘ１へ突出する。下面部２Ｂの右端縁に位置する第１ブラシ部３Ａは、右面部２Ｆの第１ブラシ部３Ａの下側Ｚ２に位置し、この第１ブラシ部３Ａと平行、または、この第１ブラシ部３Ａよりも大きな傾斜角度で下側Ｚ２へ傾斜しながら右側Ｘ２へ突出する。下面部２Ｂにおいて左端縁と右端縁との間に位置する他の第１ブラシ部３Ａは、下面部２Ｂと直交するように下側Ｚ２へ突出してもよいし、本体部２の左右方向Ｘにおける中心から離れるように上下方向Ｚに対して傾斜しながら下側Ｚ２へ突出してもよい。いずれにせよ、全ての第１ブラシ部３Ａは、本体部２の左右方向Ｘにおける中心を基準として左右対称に配置される。
【００１９】
第２ブラシ部３Ｂは、前面部２Ｃにおいて左右方向Ｘにおける両側部分に、例えば１つずつ設けられ、下面部２Ｂにおける当該両側部分との境界にも、例えば１つずつ設けられる。これらの第２ブラシ部３Ｂは、下側Ｚ２へ傾斜しながら前側Ｙ１へ突出する。下面部２Ｂに位置する第２ブラシ部３Ｂは、当該両側部分におけるいずれかに設けられた第２ブラシ部３Ｂの下側Ｚ２に位置し、この第２ブラシ部３Ｂと平行、または、この第２ブラシ部３Ｂよりも大きな傾斜角度で下側Ｚ２へ傾斜しながら前側Ｙ１へ突出する。また、左右方向Ｘに並ぶ２つの第２ブラシ部３Ｂは、前側Ｙ１に向かうにつれて互いに離れるように突出する。いずれにせよ、全ての第２ブラシ部３Ｂは、本体部２の左右方向Ｘにおける中心を基準として左右対称に配置される。なお、本体部２の前端部２Ｉ側に位置する第１ブラシ部３Ａを第２ブラシ部３Ｂとみなしてもよいし、本体部２の下面部２Ｂ側に位置する第２ブラシ部３Ｂを第１ブラシ部３Ａとみなしてもよい。
【００２０】
第３ブラシ部３Ｃは、後面部２Ｄにおいて左右方向Ｘにおける両側部分に、例えば１つずつ設けられ、下面部２Ｂにおける当該両側部分との境界にも、例えば１つずつ設けられる（図１および図２参照）。これらの第３ブラシ部３Ｃは、下側Ｚ２へ傾斜しながら後側Ｙ２へ突出する。下面部２Ｂに位置する第３ブラシ部３Ｃは、当該両側部分におけるいずれかに設けられた第３ブラシ部３Ｃの下側Ｚ２に位置し、この第３ブラシ部３Ｃと平行、または、この第３ブラシ部３Ｃよりも大きな傾斜角度で下側Ｚ２へ傾斜しながら後側Ｙ２へ突出する。また、左右方向Ｘに並ぶ２つの第３ブラシ部３Ｃは、後側Ｙ２に向かうにつれて互いに離れるように突出する。いずれにせよ、全ての第３ブラシ部３Ｃは、本体部２の左右方向Ｘにおける中心を基準として左右対称に配置される。なお、本体部２の後端部２Ｊ側に位置する第１ブラシ部３Ａを第３ブラシ部３Ｃとみなしてもよいし、本体部２の下面部２Ｂ側に位置する第３ブラシ部３Ｃを第１ブラシ部３Ａとみなしてもよい。
【００２１】
図２および図３を参照して、対向部４に関連して、本体部２の上面部２Ａの後側領域２Ｇにおいて後端部２Ｊに前側Ｙ１から隣接する部分には、左右方向Ｘに細長く延びるブロック状の支持部５が設けられる。支持部５は、例えば樹脂製であり、ボルト６などの締結部材によって上面部２Ａに対して上側Ｚ１から固定される。なお、支持部５が本体部２とは別部品でなく、本体部２と支持部５とが一体成形されてもよい。左右方向Ｘにおける支持部５の両端部は、本体部２から左右方向Ｘの外側へはみ出して配置される。当該両端部には、左右方向Ｘにおける支持部５の中央に向けて窪んだ凹部５Ａが形成される。
【００２２】
対向部４は、針金などを折り曲げることによって略Ｕ字のバンド状に形成される。対向部４は、支持部５の両端部の凹部５Ａに１つずつ嵌め込まれた一対の根元部４Ａと、これらの根元部４Ａに接続されて支持部５から離れる方向へ平行に延びた一対のアーム部４Ｂと、これらの一対のアーム部４Ｂにおいて支持部５から最も離れた先端部間に架設された先端部４Ｃとを一体的に含む。各根元部４Ａと先端部４Ｃとは、左右方向Ｘに沿って直線状に延びる。各アーム部４Ｂは、根元部４Ａを中心とする径方向に沿って直線状に延びる。対向部４は、一対の根元部４Ａにおいて支持部５によって支持され、支持部５を介して本体部２に取り付けられる。
【００２３】
対向部４は、根元部４Ａを中心として回動可能である。図１〜図３に示す対向部４は、セット位置にある。セット位置の対向部４では、先端部４Ｃは、本体部２の下面部２Ｂよりも下側Ｚ２に位置する。このとき、本体部２およびブラシ部３は、上下方向Ｚにおいて先端部４Ｃと支持部５との間に位置し、左右方向Ｘにおいて一対のアーム部４Ｂの間に位置する。なお、ブラシ部３の先端は、左右方向Ｘにおいてアーム部４Ｂよりも外側にはみ出てもよい。セット位置の対向部４では、各アーム部４Ｂが、上面部２Ａの後側領域２Ｇと直交するように上下方向Ｚに沿って延びてもよいし（図１参照）、上下方向Ｚに対して前後方向Ｙに傾斜してもよい。セット位置の対向部４は、後側Ｙ２へ回動することによって本体部２の上面部２Ａよりも上側Ｚ１に移動できるが、前側Ｙ１へ回動する場合には本体部２の下面部２Ｂにぶつかることによって、それ以上上側Ｚ１へ移動できない。
【００２４】
このようなアタッチメント１は、一対存在し、靴Ｓの洗浄のために一足の靴Ｓのそれぞれに１つずつ装着される。具体的には、図１を参照して、使用者は、対向部４をセット位置以外、例えば本体部２の上面部２Ａよりも上側Ｚ１に動かしておいてから、本体部２を前端部２Ｉ側から靴Ｓの履き口ＳＨに通して靴Ｓの内部ＳＮに挿入する。セット位置以外にある対向部４は、靴Ｓに引っ掛からないので、本体部２を内部ＳＮに円滑に挿入できる。本体部２の挿入後に、使用者が対向部４をセット位置まで回動させると、図１に示すように靴Ｓに対するアタッチメント１の装着が完了する。
【００２５】
靴Ｓに装着されたアタッチメント１では、靴Ｓの内部ＳＮに挿入された状態にある本体部２の外面部のうち、上面部２Ａが、靴Ｓにおいて足の甲を覆うアッパ部分ＳＵに下側Ｚ２から臨み、下面部２Ｂが、靴底ＳＺにおける靴Ｓの内面部に上側Ｚ１から臨む。また、本体部２における他の外面部のうち、前面部２Ｃが、爪先ＳＴにおける靴Ｓの内面部に後側Ｙ２から臨み、後面部２Ｄが、踵ＳＫにおける靴Ｓの内面部に前側Ｙ１から臨む。また、本体部２における他の外面部のうち、左面部２Ｅが、靴Ｓにおける左側Ｘ１の内面部に右側Ｘ２から臨み、右面部２Ｆが、靴Ｓにおける右側Ｘ２の内面部に左側Ｘ１から臨む。
【００２６】
このように靴Ｓの内部ＳＮに挿入された本体部２では、下面部２Ｂと、前面部２Ｃ、後面部２Ｄ、左面部２Ｅおよび右面部２Ｆのそれぞれの下端部とが、本体部２の外面部において靴底ＳＺに最も近い靴底側領域２Ｋを構成する。また、本体部２では、前面部２Ｃと、下面部２Ｂにおいて前面部２Ｃの下端縁に接続された部分とが、本体部２の外面部において爪先ＳＴに最も近い爪先側領域２Ｌを構成する。また、本体部２では、後面部２Ｄと、下面部２Ｂにおいて後面部２Ｄの下端縁に接続された部分とが、本体部２の外面部において踵ＳＫに最も近い踵側領域２Ｍを構成する。靴底側領域２Ｋに設けられた第１ブラシ部３Ａは、靴底ＳＺにおける靴Ｓの内面部に上側Ｚ１から接触した状態にある。爪先側領域２Ｌに設けられた第２ブラシ部３Ｂは、爪先ＳＴにおける靴Ｓの内面部に後側Ｙ２から臨んだ状態にある。踵側領域２Ｍに設けられた第３ブラシ部３Ｃは、踵ＳＫにおける靴Ｓの内面部に前側Ｙ１から臨んだ状態にある。
【００２７】
靴Ｓの内部ＳＮに挿入された本体部２は、前後方向Ｙにおいて内部ＳＮよりも小さい。また、本体部２の外面部と靴Ｓの内面部との間に、ある程度の隙間が確保される。そのため、本体部２は、内部ＳＮにおいて爪先ＳＴと踵ＳＫとの間で前後方向Ｙに移動可能である。
【００２８】
靴Ｓに装着されたアタッチメント１においてセット位置にある対向部４では、少なくともアーム部４Ｂおよび先端部４Ｃが、靴Ｓの履き口ＳＨからはみ出し、先端部４Ｃは、履き口ＳＨ側である上側Ｚ１とは反対側の下側Ｚ２から靴底ＳＺに対向した状態にある。なお、セット位置にある対向部４では、先端部４Ｃが本体部２との間で靴底ＳＺを挟んだ状態にあれば、先端部４Ｃが靴底ＳＺに接触してもよいし、先端部４Ｃが靴底ＳＺから離れて配置されてもよい。
【００２９】
次に、このアタッチメント１が装着された靴Ｓを洗浄するための靴洗浄装置１０について説明する。靴洗浄装置１０は、靴専用でなくてもよく、衣類などの洗濯物も洗浄できる洗濯機であってもよい。図４は、靴洗浄装置１０の模式的な縦断面図である。アタッチメント１は、その上下方向Ｚが靴洗浄装置１０の上下方向と一致するように靴洗浄装置１０内にセットされる。そのため、以下では、上下方向Ｚを用いて、靴洗浄装置１０について説明する。靴洗浄装置１０は、その外殻を構成するボックス状の筐体１１を含む。筐体１１の上面部には扉１２が設けられ、扉１２を開くと、筐体１１の内部空間１１Ａが上側Ｚ１へ露出される。内部空間１１Ａは、筐体１１の底壁１１Ｂによって下側Ｚ２から塞がれる。底壁１１Ｂには、内部空間１１Ａの水を機外へ排出するための排水路１１Ｃが形成される。靴洗浄装置１０は、内部空間１１Ａに配置された洗浄槽１３および回転盤１４と、モータ１５とを含む。
【００３０】
洗浄槽１３は、上下方向Ｚに延びる中心軸線Ｊを有する有底円筒状に形成される。以下では、中心軸線Ｊまわりの周方向を周方向Ｑといい、中心軸線Ｊを中心とする径方向を径方向Ｒという。周方向Ｑおよび径方向Ｒは、横方向に含まれる。径方向Ｒのうち、中心軸線Ｊから離れる方向を径方向外側Ｒ１といい、中心軸線Ｊに近づく方向を径方向内側Ｒ２という。
【００３１】
洗浄槽１３は、円筒状の円周壁１６と、円周壁１６の下端縁に接続された円板状の底壁１７とを含む。底壁１７において中心軸線Ｊと一致した中心部には、底壁１７を上下方向Ｚに貫通した貫通穴１７Ａが形成される。洗浄槽１３には、貫通穴１７Ａを取り囲んで底壁１７から下側Ｚ２に延びる管状の第１支持軸１８が接続される。第１支持軸１８は、筐体１１の底壁１１Ｂによって支持される。この状態の洗浄槽１３は、第１支持軸１８を伴って中心軸線Ｊまわりに回転可能である。
【００３２】
洗浄槽１３内には、円周壁１６によって径方向外側Ｒ１から取り囲まれて底壁１７によって下側Ｚ２から塞がれた収納室１３Ａが形成される。収納室１３Ａは、中心軸線Ｊを有する円筒状の空間である。洗浄槽１３には、円周壁１６の上端縁によって縁取られて収納室１３Ａを上側Ｚ１へ露出させる開口部１３Ｂが形成される。開口部１３Ｂは、筐体１１の上面部の扉１２の下側Ｚ２に位置する。円周壁１６の内周面は、収納室１３Ａの内壁部１３Ｃを構成する。周方向Ｑにおける内壁部１３Ｃの１箇所には、接触部１９が設けられる。接触部１９は、径方向内側Ｒ２に突出して底壁１７から上側Ｚ１に延びる。接触部１９は、洗濯機に用いられるいわゆるバッフルであってもよい。洗浄槽１３には、貫通穴１７Ａとは別の貫通穴１３Ｄが、例えば底壁１７に形成される。
【００３３】
回転盤１４は、上下方向Ｚに一致した板厚方向を有して洗浄槽１３の収納室１３Ａよりも小径の円板状に形成される。回転盤１４は、収納室１３Ａの下端部において洗浄槽１３と同軸状に配置される。回転盤１４において中心軸線Ｊと一致した中心部には、第１支持軸１８の内側を通って下側Ｚ２に延びる第２支持軸２０が接続される。この状態の回転盤１４は、第２支持軸２０を伴って中心軸線Ｊまわりに回転可能である。
【００３４】
モータ１５は、筐体１１の底壁１１Ｂに組み込まれる。モータ１５が発生した駆動力は、公知の伝達機構（図示せず）を介して第１支持軸１８および第２支持軸２０のそれぞれに対して選択的に伝達される。これにより、洗浄槽１３および回転盤１４のそれぞれが、周方向Ｑに沿って別々に駆動回転される。
【００３５】
靴Ｓの洗浄に関連して、回転盤１４の上面部１４Ａには、複数の回転ブラシ部２１が設けられる。それぞれの回転ブラシ部２１は、平らな帯状に形成され、上面部１４Ａから上側Ｚ１へ直線状に突出する。それぞれの回転ブラシ部２１は、その突出方向に沿って上面部１４Ａから上側Ｚ１に直線的に延びる多数のブラシ毛Ｈによって構成される。それぞれの回転ブラシ部２１では、全てのブラシ毛Ｈの長さ、つまり、全てのブラシ毛Ｈにおける上側Ｚ１の先端の高さ位置が同じである。しかし、回転盤１４の回転方向である周方向Ｑにおける位置に応じて、回転ブラシ部２１のブラシ毛Ｈの長さが異なる。一例として、回転ブラシ部２１は、相対的に短いブラシ毛ＨＡを有する回転ブラシ部２１Ａと、ブラシ毛ＨＡよりも長いブラシ毛ＨＢを有する回転ブラシ部２１Ｂとを含む。回転ブラシ部２１Ａのグループと回転ブラシ部２１Ｂのグループとが周方向Ｑにおいて交互に並んで配置される（図５参照）。この場合、各グループの回転ブラシ部２１は、平面視において他のグループの回転ブラシ部２１と直交したり平行になったりするように配置されてもよいし（図５参照）、全ての回転ブラシ部２１が中心軸線Ｊから径方向Ｒに沿って放射状に延びるように配置されてもよい（図６参照）。なお、ブラシ毛Ｈの長さの種類は、２つだけでなく、３つ以上あってもよい。
【００３６】
靴Ｓを洗浄する場合には、使用者は、扉１２を開いて洗浄槽１３の開口部１３Ｂを開放し、アタッチメント１が装着された靴Ｓを、開口部１３Ｂから洗浄槽１３の収納室１３Ａに収納する。収納室１３Ａに収納された靴Ｓは、回転盤１４上に載せられる。収納室１３Ａには、例えば回転盤１４の中心から上側Ｚ１に突出するような部材が存在しないので、収納室１３Ａは比較的広い。そのため、収納室１３Ａのスペースを有効利用することによって、靴Ｓは、横方向に長手で上下方向Ｚに扁平な姿勢で、収納室１３Ａに収納される。この状態の靴Ｓでは、履き口ＳＨが上側Ｚ１を向いて靴底ＳＺが下側Ｚ２を向いた状態にある。この靴Ｓに装着されたアタッチメント１の上下方向Ｚは、前述したように靴洗浄装置１０の上下方向と一致した状態にある。
【００３７】
次に、蛇口（図示せず）からの水、または、使用者がバケツなどで汲んだ水が洗浄槽１３に溜められる。収納室１３Ａの靴Ｓが水に浸かる程度の水位まで、水が洗浄槽１３に溜められる。この場合、靴Ｓが上下方向Ｚに扁平な姿勢で収納室１３Ａに収納されるので、靴Ｓが立った姿勢で収納室１３Ａに収納される場合と比べて、洗浄槽１３に溜める水が少なくて済む。また、必要に応じて、洗剤が洗浄槽１３に投入される。
【００３８】
次に、扉１２が閉じられた状態で、靴Ｓが載せられた回転盤１４が、所定時間駆動回転される。このとき、回転盤１４上の靴Ｓが回転盤１４と一緒に回転しようとするが、収納室１３Ａの内壁部１３Ｃにおける接触部１９が、周方向Ｑにおいて回転盤１４上の靴Ｓに接触して靴Ｓを位置決めするので、回転盤１４上の靴Ｓが回転盤１４と一緒に回転することが防止される。これにより、回転盤１４上の靴Ｓの外面部が、回転盤１４の上面部１４Ａに設けられた回転ブラシ部２１によって下側Ｚ２から効率的に擦り洗いされる。なお、接触部１９は、内壁部１３Ｃの周方向Ｑに並んで複数設けられるよりも、内壁部１３Ｃの周上１箇所だけに設けられる方が、靴Ｓの位置決め効果を図ることができる。
【００３９】
回転ブラシ部２１を構成するブラシ毛Ｈの長さが、周方向Ｑにおける位置に応じて異なるので、回転盤１４上の靴Ｓは、回転盤１４の回転に伴ってブラシ毛Ｈによってひっくり返されて姿勢を変える。これにより、靴Ｓの外面部において色々な部分が回転ブラシ部２１に接触することによって、ブラシ毛Ｈの毛先が靴Ｓの外面部の凹凸の隅々に届く。そのため、靴Ｓの外面部における広い範囲が満遍なく擦り洗いされるので、靴Ｓの外側を効果的に洗浄できる。なお、靴Ｓの姿勢が変わるのに応じて、アタッチメント１の姿勢、つまり、上下左右などの向きも変わる。
【００４０】
このように回転盤１４が回転すると、回転盤１４上の靴Ｓが姿勢を変えるし、洗浄槽１３内に水がかき混ぜられることによって水流が発生する。すると、アタッチメント１の本体部２が、靴Ｓの内部ＳＮにおいて爪先ＳＴと踵ＳＫとの間で前後方向Ｙに移動する。これにより、靴Ｓの内面部が、本体部２の外面部に設けられたブラシ部３によって擦り洗いされる。そのため、靴Ｓの内側を洗浄できる。
【００４１】
特に、本体部２の靴底側領域２Ｋに設けられた第１ブラシ部３Ａによって、靴底ＳＺにおける靴Ｓの内面部が擦り洗いされる。本体部２の爪先側領域２Ｌに設けられた第２ブラシ部３Ｂによって、爪先ＳＴにおける靴Ｓの内面部が擦り洗いされる。本体部２の踵側領域２Ｍに設けられた第３ブラシ部３Ｃによって、踵ＳＫにおける靴Ｓの内面部が擦り洗いされる。これらの結果、靴Ｓの内面部における広い範囲が満遍なく擦り洗いされるので、靴Ｓの内側を効果的に洗浄できる。
【００４２】
本体部２において爪先側領域２Ｌを構成する前端部２Ｉおよびその周辺部分は、靴Ｓの内部ＳＮが爪先ＳＴへ向けて細くなるのに応じて、前側Ｙ１へ向けて細くなるように形成される。さらに、対向部４を支持した支持部５は、本体部２の上面部２Ａの後側領域２Ｇに配置されることによって、本体部２の前進時に靴Ｓのアッパ部分ＳＵにすぐに引っ掛からないようにアッパ部分ＳＵから後側Ｙ２へ離れて配置される。よって、本体部２が靴Ｓの内部ＳＮにおいて円滑に前進できるので、第２ブラシ部３Ｂは、爪先ＳＴにおける靴Ｓの内面部に確実に到達できる。また、第１ブラシ部３Ａ、第２ブラシ部３Ｂおよび第３ブラシ部３Ｃのそれぞれは、下側Ｚ２へ傾斜した状態にあるので、これらの先端部が靴Ｓの内側の隅々まで到達して汚れを擦り落とすことができる。
【００４３】
また、靴洗浄用アタッチメント１では、本体部２に設けられた対向部４が靴Ｓの履き口ＳＨからはみ出して先端部４Ｃにおいて下側Ｚ２から靴底ＳＺに対向するので、靴Ｓの内側の洗浄中に本体部２が履き口ＳＨから靴Ｓの外に抜け出ることを防止できる。これにより、靴洗浄用アタッチメント１を用いて靴Ｓの内側を確実に洗浄できる。
【００４４】
なお、靴Ｓの内面部において靴Ｓのアッパ部分ＳＵに相当する部分は、比較的汚れにくいので、本体部２においてアッパ部分ＳＵに下側Ｚ２から臨む上面部２Ａには、ブラシ部３が設けられない。靴Ｓが上履きである場合には、アッパ部分ＳＵにゴムが設けられることがあるが、上面部２Ａにブラシ部３が設けられないので、このゴムがブラシ部３によって擦られて傷むことを防止できる。また、上面部２Ａにブラシ部３が設けられない場合には、本体部２において靴Ｓの内面部に擦れる部分を最小限に抑えることができるので、本体部２が靴Ｓの内部ＳＮにおいて爪先ＳＴと踵ＳＫとの間で円滑に移動することができる。もちろん、本体部２の円滑な移動を阻害しない程度であれば、必要に応じて、上面部２Ａにブラシ部３を設けても構わない。
【００４５】
靴洗浄装置１０では、このように靴洗浄用アタッチメント１を用いることによって靴Ｓの外側だけでなく内側も洗浄でき、さらに、靴Ｓの内外を高い洗浄力で洗浄できる。洗剤が洗浄槽１３に投入されたのであれば、洗剤と擦り洗いとを併用することによって、靴Ｓの内外を一層高い洗浄力で洗浄できる。そして、前述した所定時間が経過すると、回転盤１４の駆動回転が停止する。靴Ｓの汚れは、洗浄槽１３内の水に乗って洗浄槽１３の貫通穴１３Ｄから洗浄槽１３の外に流出し、筐体１１の底壁１１Ｂの排水路１１Ｃを通って機外に排出される。なお、水を溜めるために閉じられて排水のために閉じられる排水弁（図示せず）が、排水路１１Ｃまたは貫通穴１３Ｄに設けられる。そして、前述した所定時間の経過に伴う排水の後、洗浄槽１３内に再び水が溜められた状態で回転盤１４が回転することによって、回転盤１４の回転によって生じた水流によって靴Ｓがすすがれてもよい。また、靴Ｓのすすぎ後には、洗浄槽１３が高速で回転駆動され、洗浄槽１３の回転による遠心力によって靴Ｓの脱水が行われてもよい。その後、使用者は、筐体１１の扉１２を開いて、洗浄を終えた靴Ｓを取り出す。
【００４６】
この発明は、以上に説明した実施形態に限定されるものではなく、請求項に記載の範囲内において種々の変更が可能である。
【００４７】
例えば、前述した実施形態では、それぞれの回転ブラシ部２１におけるブラシ毛Ｈの長さを同じにするものの、周方向Ｑにおいて異なる位置にある回転ブラシ部２１毎にブラシ毛Ｈの長さが異なるように設定することによって、回転盤１４の回転に応じて靴Ｓの姿勢を変える（図５参照）。これに代え、放射状に延びるように配置されたそれぞれの回転ブラシ部２１において（図６参照）、ブラシ毛Ｈの長さが径方向Ｒにおける位置に応じて異なるように設定しても、回転盤１４の回転に応じて靴Ｓの姿勢を変えることができる。その場合、一例として、それぞれの回転ブラシ部２１において、径方向外側Ｒ１のブラシ毛Ｈほど長くなってもよい（図７参照）。
【００４８】
また、アタッチメント１において、第１ブラシ部３Ａ、第２ブラシ部３Ｂおよび第３ブラシ部３Ｃのいずれかが省略されてもよい。
【００４９】
また、靴洗浄装置１０は、前述した構成に限らず、例えば洗浄槽１３を収容して水が溜められる水槽（図示せず）を有する構成などを備えてもよい。
【符号の説明】
【００５０】
１      靴洗浄用アタッチメント
２      本体部
３      ブラシ部
４      対向部
１０    靴洗浄装置
１３Ａ  収納室
１３Ｃ  内壁部
１４    回転盤
１４Ａ  上面部
１９    接触部
２１    回転ブラシ部
Ｈ      ブラシ毛
Ｑ      周方向
Ｒ      径方向
Ｓ      靴
ＳＨ    履き口
ＳＫ    踵
ＳＮ    内部
ＳＴ    爪先
ＳＺ    靴底
Ｚ１    上側
Ｚ２    下側
【図１】
2018051038.tif 000003
【図２】
2018051038.tif 000004
【図３】
2018051038.tif 000005
【図４】
2018051038.tif 000006
【図５】
2018051038.tif 000007
【図６】
2018051038.tif 000008
【図７】
2018051038.tif 000009